(57)【要約】【課題】ユーザが地点を登録する場合に、該地点の属性情報として、ユーザの前記地点に対する印象を示す印象情報を入力することができ、地点を検索する場合に印象情報によって検索することができるようにして、曖昧で感覚的な観点から地点を検索することができ、ユーザの嗜（し）好に適した地点を容易に検索することができるようにする。【解決手段】地点データを格納する地点データ格納部と、地点に対する印象を示す印象情報を入力する印象情報入力部と、該印象情報入力部によって入力された印象情報を地点データに付加して前記地点データ格納部に登録する印象情報登録部と、前記地点データ格納部に登録された印象情報付地点データを前記印象情報入力部によって入力された印象情報によって検索する地点検索部とを有する。【選択図】図１
2006276963.tif 000002
【特許請求の範囲】
【請求項１】
（ａ）地点データを格納する地点データ格納部と、
（ｂ）地点に対する印象を示す印象情報を入力する印象情報入力部と、
（ｃ）該印象情報入力部によって入力された印象情報を地点データに付加して前記地点データ格納部に登録する印象情報登録部と、
（ｄ）前記地点データ格納部に登録された印象情報付地点データを前記印象情報入力部によって入力された印象情報によって検索する地点検索部とを有することを特徴とする地点検索システム。
【請求項２】
前記印象情報入力部は、キーワード毎に前記印象情報を入力する請求項１に記載の地点検索システム。
【請求項３】
前記キーワードは、少なくとも価格を含む請求項２に記載の地点検索システム。
【請求項４】
前記印象情報入力部は、印象情報を地点データに付加して前記地点データ格納部に登録する場合も、印象情報によって検索する場合も、同一の入力画面により印象情報を入力する請求項１に記載の地点検索システム。
【請求項５】
前記印象情報入力部は、前記地点について選択されたキーワードに対応するスライドバー、及び、該スライドバー上の位置によって前記地点に対する印象を示すスライドガイドを備える請求項２に記載の地点検索システム。
【請求項６】
前記印象情報入力部は、前記地点について選択されたキーワードに対応する座標軸、及び、該座標軸によって規定される空間内の位置によって前記地点に対する印象を示すドットを備える請求項２に記載の地点検索システム。
【請求項７】
前記印象情報入力部は、前記空間内の位置によって検索対象となる前記ドットの範囲を示す検索枠を備える請求項６に記載の地点検索システム。
【請求項８】
前記印象情報入力部は、前記地点について選択されたキーワードに対応する指標軸、該指標軸上の位置によって前記地点に対する印象を示す指標値点、及び、各指標軸上の指標値点を接続する折れ線を含むレーダーチャートを備える請求項２に記載の地点検索システム。
【請求項９】
（ａ）印象情報入力部によって入力された地点に対する印象を示す印象情報を地点データに付加して地点データ格納部に登録し、
（ｂ）該地点データ格納部に登録された印象情報付地点データを前記印象情報入力部によって入力された印象情報によって検索することを特徴とする地点検索方法。
【発明の詳細な説明】
【技術分野】
【０００１】
本発明は、地点検索システムに関するものである。
【背景技術】
【０００２】
従来、自動車等の車両に配設されるナビゲーション装置においては、道路地図データに基づいて、設定された出発地から目的地までの最適な経路を探索して、表示手段に表示するようになっている。
【０００３】
さらに、地点、すなわち、ＰＯＩとしてのレストラン、遊園地、百貨店等の施設や名所、景勝地等の地点を検索するための検索機能を有するナビゲーション装置も提供されている。この場合、該ナビゲーション装置はＰＯＩに関する種々の情報をＰＯＩデータとして記憶手段に格納し、車両の運転者等のユーザが、所定の地域におけるレストラン、遊園地、百貨店や名所、景勝地等の地点等の施設を検索すると、該当する施設や地点がナビゲーション装置の表示画面に表示されるようになっている（例えば、特許文献１参照。）。
【０００４】
これにより、ユーザは、目的地までの適切な経路を把握することができるとともに、所望の施設や地点の情報を容易に把握することができる。
【特許文献１】特開２０００−２５５５号公報
【発明の開示】
【発明が解決しようとする課題】
【０００５】
しかしながら、前記従来のナビゲーション装置においては、ＰＯＩを検索する場合にユーザの好みや価値観を反映することができず、個々のユーザを満足させるＰＯＩを検索することが困難であった。例えば、レストランを検索する場合、店舗の雰囲気、料理のボリューム感等の曖昧（あいまい）で感覚的な点に基づいてレストランを選択したいことがあるが、従来のナビゲーション装置においては、ＰＯＩの名称、住所、電話番号、距離等に基づいてＰＯＩを検索するようになっているので、曖昧で感覚的な点に基づいて検索を行うことができなかった。
【０００６】
本発明は、前記従来の問題点を解決して、ユーザが地点を登録する場合に、該地点の属性情報として、ユーザの前記地点に対する印象を示す印象情報を入力することができ、地点を検索する場合に印象情報によって検索することができるようにして、曖昧で感覚的な観点から地点を検索することができ、ユーザの嗜（し）好に適した地点を容易に検索することができる地点検索システムを提供することを目的とする。
【課題を解決するための手段】
【０００７】
そのために、本発明の地点検索システムにおいては、地点データを格納する地点データ格納部と、地点に対する印象を示す印象情報を入力する印象情報入力部と、該印象情報入力部によって入力された印象情報を地点データに付加して前記地点データ格納部に登録する印象情報登録部と、前記地点データ格納部に登録された印象情報付地点データを前記印象情報入力部によって入力された印象情報によって検索する地点検索部とを有する。
【発明の効果】
【０００８】
本発明によれば、ユーザが地点を登録する場合に、該地点に対する印象を示す印象情報を入力することができ、地点を検索する場合に印象情報によって検索することができる。これにより、ユーザの嗜好に適した地点を容易に検索することができる。
【発明を実施するための最良の形態】
【０００９】
以下、本発明の実施の形態について図面を参照しながら詳細に説明する。
【００１０】
図２は本発明の第１の実施の形態におけるＰＯＩ検索システムの構成を示す図である。
【００１１】
図において、１１は、乗用車、トラック、バス、オートバイ等の車両に搭載されたナビゲーション装置であり、地点検索システムであるところのＰＯＩ検索システムとして機能する。前記ナビゲーション装置１１は、ＣＰＵ、ＭＰＵ等の演算手段、半導体メモリ、磁気ディスク、光ディスク等の記憶手段、通信インターフェイス等を備える一種のコンピュータである。そして、前記ナビゲーション装置１１は、ＧＰＳ（Ｇｌｏｂａｌ  Ｐｏｓｉｔｉｏｎｉｎｇ  Ｓｙｓｔｅｍ）、地磁気センサ、距離センサ、ステアリングセンサ、ビーコンセンサ、ジャイロセンサ等によって現在位置を検出する図示されない現在位置検出処理部、道路データ、探索データ等を含む地図データ等を記憶する記憶手段としてのデータ部１２、地点や施設、すなわち、ＰＯＩデータの検索を行う検索処理部１３、並びに、該検索処理部１３を含むとともに、入力された情報に基づいて、設定された目的地までの経路を探索する探索処理、及び、経路の走行案内処理を行う図示されないナビゲーション処理部を有し、通常の車両用ナビゲーション装置と同様のナビゲーション処理を実行し、設定された目的地までの経路を探索して案内を行うようになっている。さらに、ナビゲーション装置１１は、図示されない入力部、表示部、音声入力部、音声出力部、通信部等も有する。
【００１２】
なお、本実施の形態において、ＰＯＩとは、Ｐｏｉｎｔ  ｏｆ  Ｉｎｔｅｒｅｓｔのことであり、通常のナビゲーション装置のナビゲーション処理において出発地、目的地、通過点等となる地点であって、例えば、ホテル、旅館等の宿泊施設、ガソリンスタンド等の給油施設、ショッピングモール、スーパーマーケット、ショッピングセンタ等の商業施設、テーマパーク、ゲームセンタ等の娯楽施設、レストラン、バー、居酒屋等の飲食施設、公共駐車場等の駐車施設、交通施設、寺院、教会等の宗教施設、美術館、博物館等の公共施設等の施設や、名所旧跡、観光スポット、ビューポイント（景勝地）、広場、交差点、公共建造物、モニュメント等の地点である。そして、ＰＯＩデータとは、前記ＰＯＩに関する各種情報である。
【００１３】
そして、前記データ部１２は、半導体メモリ、磁気ディスク、光ディスク等を備え、探索データ等を含む地図データを記憶する。すなわち、前記データ部１２は、各種のデータファイルから成るデータベースを備え、経路を探索するための探索データの他、表示部の表示画面に、探索された経路に沿って案内図を表示したり、他の案内情報を表示したりするために、施設データ等の各種のデータを記録する。なお、前記データ部１２には、道路を構成する単位であるリンクに関する情報も含まれている。また、前記データ部１２には、所定の情報を音声出力部によって音声出力するための各種のデータも記録される。
【００１４】
また、前記入力部は、走行開始時の位置を修正したり、目的地を入力したりするためのものであり、前記ナビゲーション装置１１の本体に配設された操作キー、押しボタン、ジョグダイヤル、十字キー等から成るものであるが、リモートコントローラであってもよい。なお、表示部がタッチパネルである場合には、前記表示部の表示画面に表示された操作キー、操作メニュー等の操作スイッチから成るものであることが望ましい。この場合、通常のタッチパネルのように前記操作スイッチに触れる、すなわち、タッチすることによって、入力を行うことができる。
【００１５】
そして、前記表示部の表示画面には、操作案内、操作メニュー、操作キーの案内、現在位置から目的地までの経路、該経路に沿った案内情報等が表示される。前記表示部としては、ＣＲＴ、液晶ディスプレイ、ＬＥＤ（Ｌｉｇｈｔ  Ｅｍｉｔｔｉｎｇ  Ｄｉｏｄｅ）ディスプレイ、プラズマディスプレイ、フロントガラスにホログラムを投影するホログラフィ装置等を使用することができる。
【００１６】
本実施の形態において、ナビゲーション装置１１の通信部は、無線又は有線の通信手段を介して、情報取得装置１４と通信を行うことができ、該情報取得装置１４から印象情報付ＰＯＩデータを受信することができるようになっている。すなわち、情報取得装置１４は、ＰＯＩ検索システムの入力部として機能する。ここで、前記情報取得装置１４は、ＣＰＵ、ＭＰＵ等の演算手段、半導体メモリ、磁気ディスク、光ディスク等の記憶手段、液晶ディスプレイ、ＬＥＤディスプレイ、ＣＲＴ等の表示部、キーボード、ジョイスティック、十字キー、押しボタン、リモートコントローラ、タッチパネル等の入力部、及び、通信部を備える。前記情報取得装置１４は、例えば、パーソナルコンピュータであるが、据置電話機、携帯電話機、ＰＨＳ（Ｐｅｒｓｏｎａｌ  Ｈａｎｄｙ−Ｐｈｏｎｅ  Ｓｙｓｔｅｍ）電話機、携帯情報端末、ＰＤＡ（Ｐｅｒｓｏｎａｌ  Ｄｉｇｉｔａｌ  Ａｓｓｉｓｔａｎｔ）、ゲーム機、デジタルテレビ等いかなるものであってもよい。
【００１７】
そして、前記情報取得装置１４は、ネットワークを介して、図示されない情報提供センタに通信可能に接続され、ユーザ１５の操作によって、前記情報提供センタが提供するＰＯＩに関する情報を受信することができる。なお、前記ネットワークは、有線又は無線の公衆通信回線網、専用通信回線網、携帯電話回線網、インターネット、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、衛星通信回線網等いかなる通信回線網であってもよく、これらを適宜組み合わせたものであってもよい。また、放送衛星によるＣＳ放送やＢＳ放送を利用して通信してもよく、地上波デジタルテレビ放送を利用して通信してもよく、ＦＭ多重放送を利用して通信してもよい。
【００１８】
また、前記情報提供センタは、例えば、インターネットに接続されたサーバであり、この場合、インターネットを介して前記サーバにアクセスし、該サーバ内のホームページを閲覧することによって、情報提供センタが提供するＰＯＩデータを取得することができる。さらに、前記情報提供センタは、ＰＯＩデータを提供するものであれば、テレビ番組やラジオ番組を放送する放送局であってもよいし、電話等による質問を受け付けるコールセンタ等であってもよい。要するに、前記情報提供センタは、ＰＯＩデータを提供するものであれば、いかなるものであってもよい。
【００１９】
そして、ユーザ１５は、情報取得装置１４を操作して、情報提供センタが提供するＰＯＩデータの中から所望のＰＯＩに関するＰＯＩデータを選択し、選択したＰＯＩデータに印象情報を付加し、印象情報付ＰＯＩデータをナビゲーション装置１１に転送することができる。なお、前記ユーザ１５は、車両の運転者等であり、前記ナビゲーション装置１１を使用する者である。また、印象情報とは、選択したＰＯＩデータに基づいてユーザ１５が得た当該ＰＯＩについての印象を示す情報であり、曖昧で感覚的な指標である。例えば、前記印象の観点が価格である場合、価格の値や値幅のような数値でなく、「安そう」とか「高そう」というような曖昧で感覚的な指標が印象情報として付与される。なお、一つのＰＯＩデータには、単数の観点の印象情報を一つだけ付与することもできるし、別個の観点の印象情報を複数付与することもできる。例えば、価格についての印象情報だけを付与してもよいし、価格についての印象情報に加えて、雰囲気についての印象情報を付与するようにしてもよい。
【００２０】
また、前記ナビゲーション装置１１は、情報取得装置１４から転送された印象情報付ＰＯＩデータを登録して、データ部１２に印象情報付登録ＰＯＩデータとして格納する。なお、ユーザ１５は、ナビゲーション装置１１の入力部を操作することによって、情報取得装置１４を操作することなく、印象情報付ＰＯＩデータを直接にナビゲーション装置１１に登録することもできる。例えば、ナビゲーション装置１１が、インターネットに接続する機能のように、ネットワークを介して前記情報提供センタにアクセスすることができる機能を備えるものである場合、ユーザ１５は、ナビゲーション装置１１の入力部を操作して、情報提供センタが提供するＰＯＩデータの中から所望のＰＯＩに関するＰＯＩデータを選択し、選択したＰＯＩデータに印象情報を付加し、データ部１２に印象情報付登録ＰＯＩデータとして格納することができる。
【００２１】
また、情報提供センタが提供するＰＯＩデータを利用することなく、印象情報付ＰＯＩデータをナビゲーション装置１１に登録することもできる。例えば、新聞、雑誌、パンフレット等の印刷媒体に記載された内容に基づいて、所望のＰＯＩに関するＰＯＩデータを選択し、選択したＰＯＩデータに印象情報を付加し、ナビゲーション装置１１の入力部を操作して、データ部１２に印象情報付登録ＰＯＩデータとして格納することができる。
【００２２】
さらに、ナビゲーション装置１１の初期状態において、あらかじめデータ部１２に格納されているＰＯＩデータの中から所望のＰＯＩに関するＰＯＩデータを選択し、選択したＰＯＩデータに印象情報を付加し、印象情報付登録ＰＯＩデータとしてデータ部１２に格納し直すこともできる。すなわち、データ部１２に格納されているＰＯＩデータを、印象情報を付加することによって、印象情報付登録ＰＯＩデータとして更新することもできる。さらに、データ部１２に格納されている印象情報付登録ＰＯＩデータを、印象情報を変更することによって、更新することもできる。
【００２３】
そして、ユーザ１５は、ＰＯＩを検索する場合に印象情報によって検索することができる。この場合、ユーザ１５は、ナビゲーション装置１１の入力部を操作し、検索用の印象情報を入力する。なお、検索用の印象情報は、ＰＯＩデータに付加された印象情報と同様の曖昧で感覚的な指標である。なお、検索用の印象情報としては、単数の観点の印象情報を一つだけ入力することもできるし、別個の観点の印象情報を複数入力することもできる。そして、検索用の印象情報が入力されると、ナビゲーション装置１１の検索処理部１３は、印象情報の受付処理を実行し、続いて、印象情報による検索処理を実行する。そして、印象情報による検索結果が出力され、ユーザ１５によって入力された印象情報に合致するＰＯＩデータが表示部に表示される。これにより、ユーザ１５は、曖昧で感覚的な観点からＰＯＩを検索することができる。
【００２４】
本実施の形態において、地点検索システムとしてのＰＯＩ検索システムは、機能の観点から、地点データを格納する地点データ格納部と、地点に対する印象を示す印象情報を入力する印象情報入力部と、印象情報入力部によって入力された印象情報を地点データに付加して地点データ格納部に登録する印象情報登録部と、地点データ格納部に登録された印象情報付地点データを印象情報入力部によって入力された印象情報によって検索する地点検索部とを有する。この場合、地点データにはＰＯＩデータが該当し、地点データ格納部にはナビゲーション装置１１のデータ部１２が該当する。また、印象情報入力部には、ナビゲーション装置１１及び情報取得装置１４の入力部及び表示部が該当する。さらに、印象情報登録部にはナビゲーション装置１１及び情報取得装置１４が該当する。さらに、ＰＯＩ検索部にはナビゲーション装置１１の検索処理部１３が該当する。
【００２５】
次に、前記構成のナビゲーション装置１１及び情報取得装置１４の動作について説明する。まず、印象情報付ＰＯＩデータを登録する動作について説明する。
【００２６】
図１は本発明の第１の実施の形態におけるＰＯＩデータに印象情報を付加する画面を示す図、図３は本発明の第１の実施の形態における印象情報付ＰＯＩデータを登録する動作を示すフローチャートである。
【００２７】
まず、ユーザ１５は、情報取得装置１４を操作して、登録ＰＯＩ入力操作を行う。すると、情報取得装置１４は、ネットワークを介して情報提供センタに通信可能に接続され、該情報提供センタが提供するＰＯＩデータが、図１（ａ）に示されるように、情報取得装置１４の表示部に表示される。図１（ａ）において、２１はＰＯＩ表示画面であり、該ＰＯＩ表示画面２１には、ＰＯＩの様子を示す写真２２、ＰＯＩの詳細な情報を示すＰＯＩ情報欄２３、及び、当該ＰＯＩを登録するための登録選択手段としての登録ボタン２４が含まれる。該登録ボタン２４は、ユーザ１５がポインタ、カーソル等を当てたり、手指等で触れたりすることによって操作するようになっている。なお、図１（ａ）は、ＰＯＩがレストランである例を示している。
【００２８】
そして、ユーザ１５が登録ボタン２４を操作することによって、ＰＯＩ表示画面２１に表示されたＰＯＩを選択すると、図１（ｂ）に示されるように、印象情報メニューの表示が行われる。図１（ｂ）において、３１は印象情報入力画面であり、ユーザ１５は印象情報入力画面３１によって印象情報の入力を行う。ここで、前記印象情報入力画面３１には、印象キーワードを示す印象キーワード欄３２、選択された印象キーワードについての印象情報を入力するための印象情報入力手段としてのスライドバー３３及びスライドガイド３４、印象情報の入力操作を完了するための完了選択手段としての完了ボタン３６、並びに、印象情報の入力操作を取り消すための取消選択手段としての取消ボタン３７が含まれる。なお、図１（ｂ）は、図１（ａ）に示されるレストランが選択された例を示している。
【００２９】
前記印象キーワード欄３２に示される印象キーワードは、ＰＯＩの印象についての観点を示す言葉であり、ユーザ１５がポインタ、カーソル等を当てたり、手指等で触れたりすることによって選択することができるようになっている。そして、図１（ｂ）に示される例においては、印象キーワード欄３２の最上位に位置する「価格」が枠で囲まれ、選択されたことを示している。なお、前記印象キーワード欄３２に示される印象キーワードは、あらかじめＰＯＩの種類毎に設定されていることが望ましい。これにより、ユーザ１５は、ＰＯＩの種類に応じて適切な観点から印象情報を付与することができる。
【００３０】
そして、印象キーワードが選択されると、該印象キーワードが示す観点で印象情報を入力するためにスライドバー３３及びスライドガイド３４が表示される。ここで、スライドバー３３の両端には前記観点における両極端の印象を示すワード（言葉）が付与され、スライドバー３３上のスライドガイド３４が両極端の印象を示すワードの間のどの程度の位置にあるかによって、前記観点におけるユーザ１５のＰＯＩの印象が示されている。なお、前記スライドガイド３４は、ユーザ１５がポインタ、カーソル等を当てたり、手指等で触れたりすることによって、矢印３５で示されるように、その位置をスライドバー３３上において左右に移動させることができる。
【００３１】
図１（ｂ）に示される例においては、最上位に位置するスライドバー３３及びスライドガイド３４は、選択された印象キーワード「価格」に対応するものである。そのため、スライドバー３３の両端には、「価格」についての両極端の印象を示すワードである「安そう」及び「高そう」が付与されている。この場合、スライドバー３３が「安そう」に近い位置にあるので、ユーザ１５が図１（ａ）に示されるレストランに対して、価格が安いという印象を持っていることが分かる。
【００３２】
また、上から二番目に位置するスライドバー３３及びスライドガイド３４は、印象キーワード「ステータス」に対応するものである。そのため、スライドバー３３の両端には、「ステータス」についての両極端の印象を示すワードである「ワイルド」及び「上品」が付与されている。この場合、スライドバー３３が「上品」に近い位置にあるので、ユーザ１５が図１（ａ）に示されるレストランに対して、上品であるという印象を持っていることが分かる。
【００３３】
さらに、上から三番目に位置するスライドバー３３及びスライドガイド３４は、印象キーワード「同伴者」に対応するものである。そのため、スライドバー３３の両端には、「同伴者」についての両極端の印象を示すワードである「ファミリー」及び「カップル」が付与されている。この場合、スライドバー３３が「ファミリー」と「カップル」との中間に近い位置にあるので、ユーザ１５が図１（ａ）に示されるレストランに対して、ファミリー向きとカップル向きの中間であるという印象を持っていることが分かる。
【００３４】
さらに、上から四番目に位置するスライドバー３３及びスライドガイド３４は、印象キーワード「ボリューム感」に対応するものである。そのため、スライドバー３３の両端には、「ボリューム感」についての両極端の印象を示すワードである「軽め」及び「重め」が付与されている。この場合、スライドバー３３が「軽め」にやや近い位置にあるので、ユーザ１５が図１（ａ）に示されるレストランに対して、食事の量がやや少なめであるという印象を持っていることが分かる。
【００３５】
なお、図１（ｂ）に示される例は、四つの印象キーワードが選択された例であるが、選択される印象キーワードの数は、単数であってもよいし、複数であってもよいし、いくつであってもよい。そして、印象情報入力画面３１には、選択された印象キーワードの各々に対応するスライドバー３３及びスライドガイド３４が表示される。なお、選択された印象キーワードの数が多く、対応するスライドバー３３及びスライドガイド３４のすべてを一画面に表示することができない場合には、画面をスクロール可能にして表示することができる。
【００３６】
また、印象情報の入力が完了すると、ユーザ１５は完了ボタン３６を選択して、印象情報の入力が完了したことを入力する。また、入力した事項を取り消す場合には、取消ボタン３７を選択する。完了ボタン３６及び取消ボタン３７は、ユーザ１５がポインタ、カーソル等を当てたり、手指等で触れたりすることによって操作するようになっている。
【００３７】
そして、印象情報の入力が完了すると、ユーザ１５は、情報取得装置１４を操作し、印象情報を付与したＰＯＩデータを印象情報付ＰＯＩデータとしてナビゲーション装置１１に転送する。すると、該ナビゲーション装置１１は転送された印象情報付ＰＯＩデータを登録して、データ部１２に印象情報付登録ＰＯＩデータとして格納する。すなわち、登録ＰＯＩと印象情報とを組み合わせて記録する。これにより、印象情報付ＰＯＩデータを登録する処理が終了する。
【００３８】
次に、フローチャートについて説明する。
ステップＳ１  登録ＰＯＩ入力操作を行う。
ステップＳ２  印象情報メニューの表示を行う。
ステップＳ３  印象情報の入力を行う。
ステップＳ４  登録ＰＯＩと印象情報とを組み合わせて記録して、処理を終了する。
【００３９】
次に、印象情報によってＰＯＩを検索する動作について説明する。
【００４０】
図４は本発明の第１の実施の形態における印象情報によってＰＯＩを検索する画面を示す図、図５は本発明の第１の実施の形態におけるＰＯＩを検索する動作を示すフローチャートである。
【００４１】
まず、ナビゲーション装置１１を操作して、登録ＰＯＩ検索機能を起動し、印象情報による検索を選択する。すなわち、検索処理部１３を起動させ、データ部１２に格納されているＰＯＩデータの検索を開始するための画面を表示部にさせて、前記画面において印象情報による検索を実行することを選択する。ここでは、ＰＯＩとしてレストランを検索することが選択された場合について説明する。
【００４２】
続いて、ナビゲーション装置１１の表示部に、図４（ａ）に示されるように、印象情報メニューの表示が行われる。図４（ａ）において、４１は印象情報入力画面であり、ユーザ１５が検索のために印象情報の入力を行う画面であるが、実質的には、図１（ｂ）に示された印象情報入力画面３１とほぼ同様の画面構成を有するものであり、印象キーワードを示す印象キーワード欄３２、並びに、選択された印象キーワードについての印象情報を入力するための印象情報入力手段としてのスライドバー３３及びスライドガイド３４が含まれる。なお、図４（ａ）は、ＰＯＩとしてレストランが選択された例を示している。
【００４３】
そして、ユーザ１５は、印象情報入力画面４１において印象情報の入力を行う。この場合、印象キーワード欄３２に示される印象キーワードの中から所望の印象キーワードを選択し、該印象キーワードが示す観点で印象情報を入力する。図４（ａ）は、前述の印象情報付ＰＯＩデータを登録する動作の場合と同様に、印象キーワードとして、「価格」、「ステータス」、「同伴者」及び「ボリューム感」が選択された場合を示している。そして、各印象キーワードに対応するスライドバー３３及びスライドガイド３４から、価格が安く、上品で、ファミリー向きとカップル向きの中間であり、かつ、食事の量がやや少なめであるという印象情報が検索条件として入力されたことが分かる。
【００４４】
なお、図４（ａ）に示される例は、四つの印象キーワードが選択された例であるが、選択される印象キーワードの数は、単数であってもよいし、複数であってもよいし、いくつであってもよい。そして、印象情報入力画面４１には、選択された印象キーワードの各々に対応するスライドバー３３及びスライドガイド３４が表示される。なお、選択された印象キーワードの数が多く、対応するスライドバー３３及びスライドガイド３４のすべてを一画面に表示することができない場合には、画面をスクロール可能にして表示することができる。
【００４５】
そして、印象情報の入力が完了すると、入力された印象情報に合致するＰＯＩ情報の表示が行われ、図４（ｂ）に示されるように、条件近似ＰＯＩリスト４２の表示が行われる。該条件近似ＰＯＩリスト４２は、スライドバー３３及びスライドガイド３４によって設定された値に近い値の印象情報が付与されたＰＯＩとしてのレストランを順にリストアップしたものである。また、前記条件近似ＰＯＩリスト４２は動的に変化するものであり、ユーザ１５は、条件近似ＰＯＩリスト４２に含まれるレストランの中から所望のレストランを選択する。この場合、ユーザ１５がレストランの名称にポインタ、カーソル等を当てたり、手指等で触れたりすることによって選択することができるようになっている。また、前記条件近似ＰＯＩリスト４２には、ＰＯＩの詳細な情報を参照することを選択する選択手段としての詳細ボタン４３が含まれる。そして、所望のレストランに対応する詳細ボタン４３を選択することによって、前記レストランの詳細な情報が表示される。なお、詳細ボタン４３は、ポインタ、カーソル等を当てたり、手指等で触れたりすることによって選択することができる。
【００４６】
ユーザ１５が、前述のようにしてＰＯＩを選択し、目的地に設定すると処理が終了する。なお、ナビゲーション装置１１は、設定された目的地までの経路を探索し、探索された経路の案内を行う。
【００４７】
次に、フローチャートについて説明する。
ステップＳ１１  登録ＰＯＩ検索機能を起動し、印象情報による検索を選択する。
ステップＳ１２  印象情報メニューの表示を行う。
ステップＳ１３  印象情報の入力を行う。
ステップＳ１４  入力された印象情報に合致するＰＯＩ情報の表示を行う。
ステップＳ１５  ＰＯＩを選択し、目的地に設定して、処理を終了する。
【００４８】
このように、本実施の形態においては、ＰＯＩについて選択された観点に対応するスライドバー３３、及び、該スライドバー３３上の位置によって前記ＰＯＩに対する印象を示すスライドガイド３４によって、前記ＰＯＩに対する印象を示す曖昧性を備える印象情報を入力するようになっている。そのため、データ部１２にＰＯＩを登録する場合に、該ＰＯＩの属性情報として、ユーザ１５の前記ＰＯＩに対する印象を示す印象情報を付加して登録することができ、データ部１２に格納されたＰＯＩを検索する場合に、印象情報によって検索することができる。これにより、ユーザ１５は、曖昧で感覚的な観点からＰＯＩを検索することができ、自分の嗜好に適合し、その場の気分に合ったＰＯＩを検索することができる。
【００４９】
また、気に入った飲食店等のＰＯＩを多数登録し、時間が経過して登録時のＰＯＩに対する印象が薄れてしまったような場合でも、印象情報によって検索することによって、登録時のＰＯＩに対する印象を取り戻すことができる。
【００５０】
さらに、ＰＯＩを登録する場合も、また、ＰＯＩを検索する場合も、図１（ｂ）、図４（ａ）に示されるように、同一の印象情報入力画面３１、４１を表示し、印象キーワード欄３２に示される印象キーワードの中からＰＯＩの印象についての観点を示すものを選択し、前記スライドバー３３及びスライドガイド３４によって、前記ＰＯＩに対する印象を示す曖昧性を備える印象情報を入力するようになっている。そのため、感覚的に、容易に、かつ、短時間でＰＯＩの印象を入力することができる。
【００５１】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００５２】
図６は本発明の第２の実施の形態におけるＰＯＩデータに印象情報を付加する画面を示す図、図７は本発明の第２の実施の形態における印象情報によってＰＯＩを検索する画面を示す図である。
【００５３】
まず、ユーザ１５が、情報取得装置１４を操作して、登録ＰＯＩ入力操作を行うと、図６（ａ）に示されるようなＰＯＩ表示画面２１が、情報取得装置１４の表示部に表示される。なお、前記ＰＯＩ表示画面２１は、前記第１の実施の形態と同様であるので、その説明を省略する。
【００５４】
そして、ユーザ１５が登録ボタン２４を操作することによって、ＰＯＩ表示画面２１に表示されたＰＯＩを選択すると、図６（ｂ）に示されるように、印象情報メニューの表示が行われる。図６（ｂ）において、５１は印象情報入力画面であり、ユーザ１５は印象情報入力画面５１によって印象情報の入力を行う。ここで、前記印象情報入力画面５１には、選択された印象キーワードが示す観点についての印象情報を入力するための印象情報入力手段として、選択された観点に対応する座標軸５２、該座標軸５２によって規定される空間内の位置によって前記ＰＯＩに対する印象を示すドットとしてのＰＯＩ位置指示点５３、及び、該ＰＯＩ位置指示点５３を移動させるためのポインタ５４が含まれる。なお、印象情報入力画面５１には、さらに、印象キーワード欄３２、完了ボタン３６及び取消ボタン３７が含まれるが、これらについては、前記第１の実施の形態と同様であるので、その説明を省略する。また、図６（ｂ）は、図６（ａ）に示されるレストランが選択された例を示している。
【００５５】
ここで、図６（ｂ）に示される例においては、印象キーワード欄３２の「価格」、「重量感」及び「メニュー数」の三つの印象キーワードが枠で囲まれ、選択されたことを示している。そして、前記座標軸５２は、選択された印象キーワードの数に対応する数が表示され、図６（ｂ）に示される例においては、「価格」、「重量感」及び「メニュー数」に対応する三本の座標軸５２によって規定される三次元空間が示されている。なお、印象情報入力画面５１は、二次元画面であるので、四次元以上の次元数の空間を表示することは、事実上不可能である。そのため、本実施の形態において、選択可能な印象キーワードの数は１〜３である。
【００５６】
そして、座標軸５２の各々は、原点に近い程対応する印象キーワードについての印象が弱く、先端に近い程対応する印象キーワードについての印象が強いことを示している。すなわち、原点に近い程対応する印象キーワードが示す観点についての質又は量を示す数値が小さく、先端に近い程対応する印象キーワードが示す観点についての質又は量を示す数値が大きいことを意味する。図６（ｂ）に示される例においては、「価格」に対応する座標軸５２は、原点に近い程価格が低く、先端に近い程価格が高いことを意味する。また、「重量感」に対応する座標軸５２は、原点に近い程軽く、先端に近い程重いことを意味する。さらに、「メニュー数」に対応する座標軸５２は、原点に近い程メニュー数が少なく、先端に近い程メニュー数が多いことを意味する。
【００５７】
前記ＰＯＩ位置指示点５３の各座標値は、ＰＯＩとしてのレストランに対して、ユーザ１５が持っている各観点についての印象を示している。図６（ｂ）に示される例においては、ＰＯＩ位置指示点５３の「価格」に対応する座標値が２、「重量感」に対応する座標値が１、及び、「メニュー数」に対応する座標値が２となっている。このことから、ユーザ１５は、前記レストランに対して、価格が比較的安く、軽い感じがして、メニュー数が比較的少ないという印象を持っていることが分かる。なお、各座標値は、厳密な指標ではなく曖昧で感覚的な指標である。
【００５８】
そして、ユーザ１５は、ポインタ５４を使用してＰＯＩ位置指示点５３を決定することができる。この場合、ポインタ５４によってＰＯＩ位置指示点５３をドラッグしてもよいし、ポインタ５４によってクリックした位置にＰＯＩ位置指示点５３を表示させるようにしてもよい。これにより、レストランに対して、ユーザ１５が持っている選択した印象キーワードが示す観点についての印象を曖昧で感覚的に示すことができる。
【００５９】
このようにして、印象情報の入力を完了すると、ユーザ１５は、情報取得装置１４を操作し、印象情報を付与したＰＯＩデータを印象情報付ＰＯＩデータとしてナビゲーション装置１１に転送する。すると、該ナビゲーション装置１１は転送された印象情報付ＰＯＩデータを登録して、データ部１２に印象情報付登録ＰＯＩデータとして格納する。
【００６０】
そして、印象情報による検索を実行すると、ナビゲーション装置１１の表示部に、図７（ａ）に示されるように、印象情報メニューの表示が行われる。図７（ａ）において、６１は印象情報入力画面であり、ユーザ１５が検索のために印象情報の入力を行う画面であるが、実質的には、図６（ｂ）に示された印象情報入力画面５１に近似した画面構成を有するものであり、印象キーワードを示す印象キーワード欄３２、座標軸５２及びＰＯＩ位置指示点５３が含まれる。なお、図７（ａ）は、ＰＯＩとしてレストランが選択された例を示している。
【００６１】
そして、ユーザ１５は、印象情報入力画面６１において印象情報の入力を行う。この場合、印象キーワード欄３２に示される印象キーワードの中から所望の印象キーワードを選択し、該印象キーワードが示す観点で印象情報を入力する。図７（ａ）は、前述の印象情報付ＰＯＩデータを登録する動作の場合と同様に、印象キーワードとして、「価格」、「重量感」及び「メニュー数」が選択された場合を示している。この場合、「価格」、「重量感」及び「メニュー数」についての印象情報が付与されて登録されたすべてのＰＯＩに対応するＰＯＩ位置指示点５３が表示される。なお、図７（ａ）に示される例は、「価格」、「重量感」及び「メニュー数」に対応する三本の座標軸５２によって規定される三次元空間であるので、ＰＯＩ位置指示点５３は、遠近感を示すために、大きさが変化して表示されている。すなわち、画面の手前に位置するＰＯＩ位置指示点５３は大きく表示され、画面の奥に位置するＰＯＩ位置指示点５３は小さく表示されている。
【００６２】
続いて、ユーザ１５は、「価格」、「重量感」及び「メニュー数」に対応する三本の座標軸５２によって規定される三次元空間においてリストアップする範囲を、図７（ｂ）に示されるように、検索枠としてのリストアップ範囲表示６３によって表示する。該リストアップ範囲表示６３は、座標軸５２によって規定される空間内の位置によって検索対象となるＰＯＩ位置指示点５３の範囲を示し、その範囲内に含まれるすべてのＰＯＩ位置指示点５３に対応するＰＯＩをリストアップするものである。すなわち、リストアップ範囲表示６３の位置及び大きさは、検索条件として入力される「価格」、「重量感」及び「メニュー数」についての印象情報を示している。そのため、リストアップ範囲表示６３の位置及び大きさは、ユーザ１５が任意に設定し、かつ、変更することができる。なお、図７（ｂ）に示される例は、「価格」、「重量感」及び「メニュー数」に対応する三本の座標軸５２によって規定される三次元空間であるので、リストアップ範囲表示６３は球で表示される。
【００６３】
図７（ｂ）に示される例においては、リストアップ範囲表示６３の中心点の「価格」に対応する座標値が２．８、「重量感」に対応する座標値が０、及び、「メニュー数」に対応する座標値が３．２となっている。また、リストアップ範囲表示６３の大きさは２．５となっている。このことから、ユーザ１５は、価格がある程度安く、重さをまったく感じることがなく、メニュー数がある程度多いという印象のレストランを検索したいことが分かる。なお、各座標値は、厳密な指標ではなく曖昧で感覚的な指標である。
【００６４】
ところで、印象キーワード欄３２に示される印象キーワードの中から選択した印象キーワードの数が二つである場合には、図７（ｃ）に示されるように、座標軸５２が二本である二次元空間が表示される。なお、図７（ｃ）に示される例は、「価格」及び「重量感」に対応する二本の座標軸５２によって規定される二次元空間であるので、ＰＯＩ位置指示点５３は、遠近感を示す必要がなく、すべて同一の大きさで表示されている。また、リストアップ範囲表示６３は円で表示される。
【００６５】
そして、図７（ｃ）に示される例においては、リストアップ範囲表示６３の中心点の「価格」に対応する座標値が４．２、及び、「重量感」に対応する座標値が３．５となっている。また、リストアップ範囲表示６３の大きさは２．５となっている。このことから、ユーザ１５は、価格がある程度高く、重たい感じがする印象のレストランを検索したいことが分かる。なお、各座標値は、厳密な指標ではなく曖昧で感覚的な指標である。
【００６６】
そして、印象情報の入力が完了すると、入力された該印象情報に合致するＰＯＩ情報の表示が行われ、図７（ｄ）に示されるように、条件合致ＰＯＩリスト６４の表示が行われる。該条件合致ＰＯＩリスト６４は、リストアップ範囲表示６３の範囲内に含まれるすべてのＰＯＩ位置指示点５３に対応するＰＯＩをリストアップしたものである。ユーザ１５は、条件合致ＰＯＩリスト６４に含まれるレストランの中から所望のレストランを選択する。この場合、ユーザ１５がレストランの名称にポインタ、カーソル等を当てたり、手指等で触れたりすることによって選択することができるようになっている。また、前記条件合致ＰＯＩリスト６４には、ＰＯＩの詳細な情報を参照することを選択する選択手段としての詳細ボタン４３が含まれる。そして、所望のレストランに対応する詳細ボタン４３を選択することによって、前記レストランの詳細な情報が表示される。
【００６７】
このように、本実施の形態においては、ＰＯＩについて選択された観点に対応する座標軸５２、及び、該座標軸５２によって規定される空間内の位置によって前記ＰＯＩに対する印象を示すドットとしてのＰＯＩ位置指示点５３により、ＰＯＩに対する印象を示す曖昧性を備える印象情報を入力するようになっている。さらに、前記空間内の位置によって検索対象となるＰＯＩ位置指示点５３の範囲を示す検索枠としてのリストアップ範囲表示６３を使用し、印象情報付ＰＯＩデータを曖昧性を備える印象情報によって検索するようになっている。
【００６８】
すなわち、印象キーワード欄３２に示される印象キーワードの中からＰＯＩの印象についての観点を示すものを選択し、観点に対応する座標軸５２によって規定される空間における位置により、前記観点での印象を入力するようになっている。そのため、感覚的に、容易に、かつ、短時間でＰＯＩの印象を入力することができる。
【００６９】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００７０】
図８は本発明の第３の実施の形態におけるＰＯＩデータに印象情報を付加する画面を示す図、図９は本発明の第３の実施の形態における印象情報によってＰＯＩを検索する画面を示す図である。
【００７１】
まず、ユーザ１５が、情報取得装置１４を操作して、登録ＰＯＩ入力操作を行うと、図８（ａ）に示されるようなＰＯＩ表示画面２１が、情報取得装置１４の表示部に表示される。なお、前記ＰＯＩ表示画面２１は、前記第１及び第２の実施の形態と同様であるので、その説明を省略する。
【００７２】
そして、ユーザ１５が登録ボタン２４を操作することによって、ＰＯＩ表示画面２１に表示されたＰＯＩを選択すると、図８（ｂ）に示されるように、印象情報メニューの表示が行われる。図８（ｂ）において、７１は印象情報入力画面であり、ユーザ１５は印象情報入力画面７１によって印象情報の入力を行う。ここで、前記印象情報入力画面７１には、選択された印象キーワードが示す観点についての印象情報を入力するための印象情報入力手段として、中心から放射状に延伸され、選択された観点に対応する指標軸７２、該指標軸７２上にプロットされ、指標軸７２上の位置によってＰＯＩに対する印象を示す指標値点７３、及び、各指標軸７２上の指標値点７３を接続する折れ線７４を含むレーダーチャート（蜘蛛（くも）の巣グラフ）、並びに、前記指標値点７３を移動させるためのポインタ７５が含まれる。なお、印象情報入力画面７１には、さらに、印象キーワード欄３２、完了ボタン３６及び取消ボタン３７が含まれるが、これらについては、前記第１及び第２の実施の形態と同様であるので、その説明を省略する。また、図８（ｂ）は、図８（ａ）に示されるレストランが選択された例を示している。
【００７３】
ここで、図８（ｂ）に示される例においては、印象キーワード欄３２の「価格」、「同伴者」、「心の準備」、「ファッション感」、「重量感」及び「メニュー数」の六つの印象キーワードが枠で囲まれ、選択されたことを示している。そして、前記指標軸７２は、選択された印象キーワードの数に対応する数が表示され、図８（ｂ）に示される例においては、「価格」、「同伴者」、「心の準備」、「ファッション感」、「重量感」及び「メニュー数」に対応する六本の指標軸７２を備えるレーダーチャートが示されている。なお、該レーダーチャートの指標軸７２の数は何本であってもよいので、本実施の形態において、印象キーワードは、その数がいくつであっても、選択することができる。
【００７４】
そして、指標軸７２の各々は、中心に近い程対応する印象キーワードについての印象が弱く、先端に近い程対応する印象キーワードについての印象が強いことを示している。すなわち、中心に近い程対応する印象キーワードが示す観点についての質又は量を示す数値が小さく、先端に近い程対応する印象キーワードが示す観点についての質又は量を示す数値が大きいことを意味する。図８（ｂ）に示される例においては、「価格」に対応する指標軸７２は、中心に近い程価格が低く、先端に近い程価格が高いことを意味する。また、「同伴者」に対応する指標軸７２は、中心に近い程デートに相応しくなく、先端に近い程デートに相応しいことを意味する。さらに、「心の準備」に対応する指標軸７２は、中心に近い程気軽さがなく、先端に近い程気軽な感じであることを意味する。さらに、「ファッション感」に対応する指標軸７２は、中心に近い程おしゃれな感じがせず、先端に近い程おしゃれであることを意味する。さらに、「重量感」に対応する指標軸７２は、中心に近い程軽く、先端に近い程重いことを意味する。さらに、「メニュー数」に対応する指標軸７２は、中心に近い程メニュー数が少なく、先端に近い程メニュー数が多いことを意味する。
【００７５】
前記指標値点７３の各値は、ＰＯＩとしてのレストランに対して、ユーザ１５が持っている各観点についての印象を示している。また、折れ線７４が形成する多角形の形状は、レストランに対してユーザ１５が持っている各観点についての印象のバランスを示している。さらに、折れ線７４が形成する多角形の大きさは、前記指標値点７３の値と同様に、レストランに対してユーザ１５が持っている各観点についての印象を示している。なお、指標値点７３、並びに、折れ線７４が形成する多角形の形状及び大きさは、厳密な指標ではなく曖昧で感覚的な指標である。
【００７６】
そして、ユーザ１５は、ポインタ７５を使用して指標値点７３を決定することができる。この場合、ポインタ７５によって指標値点７３をドラッグしてもよいし、ポインタ７５によってクリックした位置に指標値点７３を表示させるようにしてもよい。これにより、レストランに対して、ユーザ１５が持っている選択した印象キーワードが示す観点についての印象を曖昧で感覚的に示すことができる。
【００７７】
このようにして、印象情報の入力を完了すると、ユーザ１５は、情報取得装置１４を操作し、印象情報を付与したＰＯＩデータを印象情報付ＰＯＩデータとしてナビゲーション装置１１に転送する。すると、該ナビゲーション装置１１は転送された印象情報付ＰＯＩデータを登録して、データ部１２に印象情報付登録ＰＯＩデータとして格納する。
【００７８】
そして、印象情報による検索を実行すると、ナビゲーション装置１１の表示部に、図９（ａ）に示されるように、印象情報メニューの表示が行われる。図９（ａ）において、８１は印象情報入力画面であり、ユーザ１５が検索のために印象情報の入力を行う画面であるが、実質的には、図８（ｂ）に示された印象情報入力画面７１に近似した画面構成を有するものであり、印象キーワードを示す印象キーワード欄３２、指標軸７２、指標値点７３、折れ線７４、ポインタ７５、印象情報の検索を実行するための検索選択手段としての検索ボタン８２、及び、検索情報の入力操作を取り消すための取消選択手段としての取消ボタン８３が含まれる。なお、図９（ａ）は、ＰＯＩとしてレストランが選択された例を示している。
【００７９】
そして、ユーザ１５は、印象情報入力画面８１において印象情報の入力を行う。この場合、印象キーワード欄３２に示される印象キーワードの中から所望の印象キーワードを選択し、該印象キーワードが示す観点で印象情報を入力する。図９（ａ）は、前述の印象情報付ＰＯＩデータを登録する動作の場合と同様に、印象キーワードとして、「価格」、「同伴者」、「心の準備」、「ファッション感」、「重量感」及び「メニュー数」が選択された場合を示している。この場合、「価格」、「同伴者」、「心の準備」、「ファッション感」、「重量感」及び「メニュー数」について、検索のために入力された印象情報のレーダーチャートが表示されている。この場合の印象情報の入力は、ＰＯＩデータに印象情報を付与する場合と同様にして行われる。
【００８０】
続いて、印象情報の入力が完了すると、ユーザ１５は検索ボタン８２を選択して、入力された印象情報に合致するＰＯＩの検索を行わせる。また、入力した事項を取り消す場合には、取消ボタン８３を選択する。検索ボタン８２及び取消ボタン８３は、ユーザ１５がポインタ、カーソル等を当てたり、手指等で触れたりすることによって操作するようになっている。
【００８１】
そして、検索が完了すると、入力された印象情報に合致するＰＯＩ情報の表示が行われ、図９（ｂ）に示されるように、条件合致ＰＯＩリスト８４の表示が行われる。該条件合致ＰＯＩリスト８４は、入力された印象情報に合致するＰＯＩをリストアップしたものであるが、入力された印象情報に完全に一致するＰＯＩが存在しない場合には、図９（ｂ）に示される例のように、入力された印象情報に近似する印象情報が付与されたＰＯＩがリストアップされる。また、印象情報比較表示画面８５には、条件合致ＰＯＩリスト８４に表示された近似する印象情報が付与されたＰＯＩとしてのレストランについてのレーダーチャートが、検索のために入力された印象情報のレーダーチャートと比較可能な状態で表示される。図９（ｂ）において、８６ａ〜８６ｄは、条件合致ＰＯＩリスト８４に表示された近似する印象情報が付与されたレストラン（１）〜（４）の各々についてのレーダーチャートである。該レーダーチャート８６ａ〜８６ｄによって、条件合致ＰＯＩリスト８４に表示されたレストラン（１）〜（４）に付与された印象情報を把握することができるので、ユーザ１５は、自分の希望により近いレストランを選択することができる。また、前記条件合致ＰＯＩリスト８４には、ＰＯＩの詳細な情報を参照することを選択する選択手段としての詳細ボタン４３が含まれる。そして、所望のレストランに対応する詳細ボタン４３を選択することによって、前記レストランの詳細な情報が表示される。なお、リストアップされるＰＯＩは、検索のために入力された印象情報のレーダーチャートの図形と、それぞれのＰＯＩにおける印象情報のレーダーチャートの図形とを比較して、一致度が高いＰＯＩである。例えば、一致度が高い順に所定数のＰＯＩをリストアップする。そして、一致度が同一のＰＯＩが複数存在する場合には、優先度の高いキーワードに対する印象情報の一致度を比較して、該一致度の高いＰＯＩであるを上位とする。なお、前記優先度は、あらかじめユーザ１５によってキーワード毎に設定されている。
【００８２】
このように、本実施の形態においては、ＰＯＩについて選択された観点に対応する指標軸７２、該指標軸７２上の位置によって前記ＰＯＩに対する印象を示す指標値点７３、及び、各指標軸７２上の指標値点７３を接続する折れ線７４を含むレーダーチャートによって、ＰＯＩに対する印象を示す曖昧性を備える印象情報を入力するようになっている。そのため、感覚的に、容易に、かつ、短時間でＰＯＩの印象を入力することができる。また、検索されたＰＯＩの印象情報を他のＰＯＩの印象情報や検索のために入力された印象情報と容易に比較することができる。
【００８３】
なお、本発明は前記実施の形態に限定されるものではなく、本発明の趣旨に基づいて種々変形させることが可能であり、それらを本発明の範囲から排除するものではない。
【図面の簡単な説明】
【００８４】
【図１】本発明の第１の実施の形態におけるＰＯＩデータに印象情報を付加する画面を示す図である。
【図２】本発明の第１の実施の形態におけるＰＯＩ検索システムの構成を示す図である。
【図３】本発明の第１の実施の形態における印象情報付ＰＯＩデータを登録する動作を示すフローチャートである。
【図４】本発明の第１の実施の形態における印象情報によってＰＯＩを検索する画面を示す図である。
【図５】本発明の第１の実施の形態におけるＰＯＩを検索する動作を示すフローチャートである。
【図６】本発明の第２の実施の形態におけるＰＯＩデータに印象情報を付加する画面を示す図である。
【図７】本発明の第２の実施の形態における印象情報によってＰＯＩを検索する画面を示す図である。
【図８】本発明の第３の実施の形態におけるＰＯＩデータに印象情報を付加する画面を示す図である。
【図９】本発明の第３の実施の形態における印象情報によってＰＯＩを検索する画面を示す図である。
【符号の説明】
【００８５】
１１    ナビゲーション装置
１２    データ部
１３    検索処理部
１４    情報取得装置
３３    スライドバー
３４    スライドガイド
５２    座標軸
５３    ＰＯＩ位置指示点
６３    リストアップ範囲表示
７２    指標軸
７３    指標値点
７４    折れ線
８６ａ、８６ｂ、８６ｃ、８６ｄ    レーダーチャート
【図１】
2006276963.tif 000003
【図２】
2006276963.tif 000004
【図３】
2006276963.tif 000005
【図４】
2006276963.tif 000006
【図５】
2006276963.tif 000007
【図６】
2006276963.tif 000008
【図７】
2006276963.tif 000009
【図８】
2006276963.tif 000010
【図９】
2006276963.tif 000011